(57)【要約】      （修正有）【課題】細かい隙間の清掃や、例えば植木の葉、電気コード、電球などデリケートな曲線を持つ物の清掃を容易にし、ＴＶやパソコンの画面のように静電気が起こりやすい部分も掌で擦るだけでよく、しかも指先や掌による密着感、圧力、摩擦力を上手に加減しながら自由に、かつ効率よく掃除を行うことができる作業用手袋を安価に提供すること。【解決手段】植木の葉の手入れや室内の清掃などの作業に用いる作業用手袋１０であって、手のひらに対応する内面と手の甲に対応する外面との間から、外縁部がジグザグの凹凸形状を呈するヒレ状の短片１８が外方に向かって延び、少なくとも短片は互いに重ね合わせた複数枚のシートからなるとともに外縁部は接離自在に開放しており、かつ短片は手のひらに対応する内面と手の甲に対応する外面との間のほぼ全域から延び、また短片における凸部の先端が三角形状に尖っている作業用手袋。【選択図】図１
0003112958.tif 000002
【実用新案登録請求の範囲】
【請求項１】
植木の葉の手入れや室内の清掃などの作業に用いる作業用手袋であって、
手のひらに対応する内面と手の甲に対応する外面との間から、外縁部がジグザグの凹凸形状を呈するヒレ状の短片が外方に向かって延びていることを特徴とする作業用手袋。
【請求項２】
植木の葉の手入れや室内の清掃などの作業に用いる作業用手袋であって、
手のひらに対応する内面と手の甲に対応する外面との間から、外縁部がジグザグの凹凸形状を呈するヒレ状の短片が外方に向かって延び、
少なくとも前記短片は互いに重ね合わせた複数枚のシートよりなるとともに、外縁部は互いに接離自在に開放していることを特徴とする作業用手袋。
【請求項３】
植木の葉の手入れや室内の清掃などの作業に用いる作業用手袋であって、
手のひらに対応する内面と手の甲に対応する外面との間から、外縁部がジグザグの凹凸形状を呈するヒレ状の短片が外方に向かって延び、
少なくとも前記短片は互いに重ね合わせた複数枚のシートからなるとともに、外縁部は互いに接離自在に開放し、かつ
前記短片における凸部の先端が三角形状に尖っていることを特徴とする作業用手袋。
【請求項４】
植木の葉の手入れや室内の清掃などの作業に用いる作業用手袋であって、
手のひらに対応する内面と手の甲に対応する外面との間から、外縁部がジグザグの凹凸形状を呈するヒレ状の短片が外方に向かって延び、
少なくとも前記短片は互いに重ね合わせた複数枚のシートからなるとともに、外縁部は互いに接離自在に開放し、かつ
前記短片における凸部の先端が三角形状に尖っており、また
前記短片は手のひらに対応する内面と手の甲に対応する外面との間のほぼ全域から延びていることを特徴とする作業用手袋。
【考案の詳細な説明】
【技術分野】
【０００１】  本考案は、作業用手袋（以下、単に「手袋」とも言う）に関し、詳しくは植木の葉の手入れや室内の清掃などの作業に用いる手袋に関する。
【背景技術】
【０００２】  周知のように、従来より掃除用具として種々のアイディア商品が出回っている。例えば、モップや粘着ローラー、あるいは使い捨てペーパーを利用するものなどがある。【０００３】  しかしながら、これらの掃除道具は、机の上や床といった平面部分の掃除には適しているが、曲がった面をもつ物（場所）や、凹凸面を持つ物（場所）に対する清掃には不向きであった。例えば、本棚や人形などの置物の上に被った埃をきれいに清掃する場合は、やはり水で絞った雑巾を使って拭くという作業が強いられた。【０００４】  そこで、例えばハンディモップと称される掃除道具が開発された（特許文献１）。これは多数本の紐状体が帯びる静電気によって埃や塵を吸着しようとするものであり、曲がった面をもつ物（場所）や、凹凸面を持つ物（場所）に対する清掃がこのような掃除用具により簡便となった。
【特許文献１】特開２００３−２８４６６０号公報
【考案の開示】
【考案が解決しようとする課題】
【０００５】  しかしながら、ハンディモップでさえも、細かい隙間に入り込んだ埃や塵の清掃には不向きであった。例えば、エアコンやブラインドに付いた埃や塵に対しては、あるいは植木の葉の手入れに対しては、ハンディモップもあまり役が立たなかった。あるいは、ハンディモップが使えても、ハンディモップは上から撫でるような清掃の仕方であるため、少しこすらないと取れないような埃などに対しては余り役に立たず、キメの細かいしっかりとした清掃ができる掃除道具の開発が望まれていた。換言すれば、細かい隙間の清掃や、例えば植木の葉、電気コード、電球などデリケートな曲線を持つ物の清掃を容易にし、ＴＶやパソコンの画面のように静電気が起こりやすい部分も掌で擦るだけでよく、しかも指先や掌による密着感、圧力、摩擦力を上手に加減しながら自由に、かつ効率よく掃除を行うことができる掃除用具の開発が望まれていた。【０００６】    ［考案の目的］
本考案は上記の実情に鑑みてなされたものであり、その目的は、細かい隙間の清掃を、しっかり効率よく行うことができる作業用手袋を提供するところにある。
【課題を解決するための手段】
【０００７】  請求項１に記載の作業用手袋は、植木の葉の手入れや室内の清掃などの作業に用いる作業用手袋であって、手のひらに対応する内面と手の甲に対応する外面との間から、外縁部がジグザグの凹凸形状を呈するヒレ状の短片が外方に向かって延びていることを特徴とする。【０００８】  請求項２に記載の作業用手袋は、植木の葉の手入れや室内の清掃などの作業に用いる作業用手袋であって、手のひらに対応する内面と手の甲に対応する外面との間から、外縁部がジグザグの凹凸形状を呈するヒレ状の短片が外方に向かって延び、少なくとも前記短片は互いに重ね合わせた複数枚のシートよりなるとともに、外縁部は互いに接離自在に開放していることを特徴とする。【０００９】  請求項３に記載の作業用手袋は、植木の葉の手入れや室内の清掃などの作業に用いる作業用手袋であって、手のひらに対応する内面と手の甲に対応する外面との間から、外縁部がジグザグの凹凸形状を呈するヒレ状の短片が外方に向かって延び、少なくとも前記短片は互いに重ね合わせた複数枚のシートからなるとともに、外縁部は互いに接離自在に開放し、かつ前記短片における凸部の先端が三角形状に尖っていることを特徴とする。【００１０】  請求項４に記載の作業用手袋は、植木の葉の手入れや室内の清掃などの作業に用いる作業用手袋であって、手のひらに対応する内面と手の甲に対応する外面との間から、外縁部がジグザグの凹凸形状を呈するヒレ状の短片が外方に向かって延び、少なくとも前記短片は互いに重ね合わせた複数枚のシートからなるとともに、外縁部は互いに接離自在に開放し、かつ前記短片における凸部の先端が三角形状に尖っており、また前記短片は手のひらに対応する内面と手の甲に対応する外面との間のほぼ全域から延びていることを特徴とする。
【考案の効果】
【００１１】  請求項１記載の作業用手袋に使用者が手を入れて、清掃しようとする物をつかんだり、こすることにより、表面の埃や塵がしっかりと取り除かれ、きめの細かい掃除が可能となる。またこの手袋は、手のひらに対応する内面と手の甲に対応する外面との間からヒレ状の短片が外方に向かって延びているので、清掃したい隙間に手や指を入れることで、埃や塵が前記短片に付いたり、短片によって掻き出されたりして、手や指の触感覚といった非常にきめの細かい清掃作業を行うことができる。【００１２】  請求項２記載の作業用手袋にあっては、請求項１記載の手袋に加えて次のような効果を奏する。すなわち、前記短片は互いに重ね合わせた複数枚のシートよりなるとともに、外縁部は互いに接離自在に開放しているので、複数枚の短片がハタキの働きをし、あるいは複数枚の短片の間に埃や塵を取り込む（捕捉する）働きをし、より一層効果的に掃除することができ、清掃効果が向上する。【００１３】  請求項３記載の作業用手袋にあっては、請求項２記載の手袋に加えて次のような効果を奏する。すなわち、前記短片における凸部の先端が三角形状に尖っているので、より細かい隙間に入り込んでしまった埃や塵に対しても清掃効果が期待できる。【００１４】  請求項４記載の作業用手袋にあっては、請求項３記載の手袋に加えて次のような効果を奏する。すなわち、前記短片は、手のひらに対応する内面と手の甲に対応する外面との間の「ほぼ全域」から延びているので、手の向きに関係なく前記短片による清掃効果を期待することができ、手の角度を変えたりする必要がない。
【考案を実施するための最良の形態】
【００１５】
【００１６】  本考案における作業用手袋としては、天然繊維や合成繊維からなる織物シート、編物シートあるいは不織布（不織シート）などのシートを縫製して製造される。なお、埃や塵を効率よく取り除く（払拭する）という点で、不織布（不織シート）を用いることが好ましい。【００１７】  シート原料としては、綿、麻、絹またはパルプなどの天然繊維によって得られたシート（和紙を含む）などが挙げられる。また、ポリエステル繊維、ポリエチレン繊維、レーヨン繊維、ナイロン繊維、ビニロン繊維、アクリル繊維などの合成繊維によって得られたシートを用いることもできるが、これによって限定されるものではない。
【実施例】
【００１８】  以下、本考案の一実施形態を図面に基づいて説明するが、本考案はこれによって限定されるものではない。【００１９】  図１は、本考案に係る作業用手袋（１０）である。この作業用手袋（１０）は、例えば次のようにして製造されたものである。すなわち、まず２枚、３枚あるいはそれ以上の枚数の、合成樹脂繊維からなる不織布を互いに重ね合わせる。そして、手を挿入する開口部（１２）と、指を入れる指収納部（１４）を保持（確保）した状態で、重ね合わせた前記複数枚の不織布同士を手形状（手を広げた状態）に縫合するか、または熱融着して一体化する。図１における点線（１６）は、その縫合線または熱融着線を示す。その後、不織布の外縁部がジグザグの凹凸形状となりヒレ状の短片（１８）が形成されるようにハサミやカッターで形を整える。この際、ピンキングハサミを用いることもできる。また、指を自由に動かせることができるように、必要に応じて指と指の間に必要な長さ（深さ）の切込（２０）を入れる。これにより、手のひらに対応する内面（１０ａ）と手の甲に対応する外面（１０ｂ）との間に、短片（１８）が外方に向かって延びる作業用手袋（１０）を製造することができる。【００２０】  なお、図１では短片（１８）の形状は、先端が尖った三角形状であるが、このようにすることによって、細かい隙間に入り込んでしまった埃や塵に対しても高い清掃効果が期待できるので好適である。しかしながら、短片（１８）の形状が、丸みを帯びた半円状や、四角形状の作業用手袋（１０）も本考案の範囲に含まれる。【００２１】  図２に示すように短片（１８）は互いに重ね合わせた複数枚の不織布よりなり、外縁部（自由端部）は互いに接離自在に開放しているので、使用において複数枚の短片（１８）がハタキの働きをし、あるいは複数枚の短片（１８）の間に埃や塵を取り込む（捕捉する）働きをし、より一層効果的に掃除することができる。
【図面の簡単な説明】
【００２２】
【図１】本考案の作業用手袋の略示正面図である。
【図２】前図の一部拡大断面図である。
【符号の説明】
【００２３】  １０……作業用手袋
１０ａ……手のひらに対応する内面
１０ｂ……手の甲に対応する外面
１２……開口部
１４……指収納部
１６……（縫合線または熱融着線を示す）点線
１８……短片
２０……切込
【図１】
0003112958.tif 000003
【図２】
0003112958.tif 000004